【手続補正書】
【提出日】平成29年12月1日(2017.12.1)
【手続補正１】
【補正対象書類名】明細書
【補正対象項目名】０１０９
【補正方法】変更
【補正の内容】
【０１０９】
上記の考察から、比較例は、高温安定性のみ、またはシャットダウン挙動のみを示すが、本発明（実施例１および２）の複合セパレータは、リチウムイオン電池の安全性を改善するために必要な、良好なシャットダウン挙動を実証し、そのうえ、その構造的完全性をより高い温度において保持することが明らかである。
本発明のまた別の態様は、以下のとおりであってもよい。
〔１〕第１の陽極材料と、第２の陰極材料と、前記第１および前記第２の電極材料の間に接触して配置される多孔性セパレータとを含んでなる多層物品であって、前記多孔性セパレータが、不織布層（層Ｂ）と直面関係に配置される多孔性フィルム（層Ａ）を含んでなり、  前記不織布層Ｂが、３μｍ以下の平均繊維径、６μｍ以下の平均細孔径および６０％未満の多孔性を有し、
前記多孔性フィルムＡが、２μｍ以上の厚さを有し、かつ０．５μｍ以下の平均流れ細孔径および３０〜６０％の多孔性を有する微多孔ポリオレフィン膜であり、
前記Ｂ層が、層Ｂの５０％以上の重量パーセントで存在する非熱可塑性ポリマーを含んでなり、前記Ａ層と前記Ｂ層とを足した組み合わせた厚さが５０ミクロン以下である、多層物品。
〔２〕前記不織層（Ｂ）が前記陽極と接触し、かつ前記陽極および前記フィルム層Ａの間に配置される、前記〔１〕に記載の多層物品。
〔３〕前記非熱可塑性ポリマーが、ポリイミド、ポリアラミド、セルロース、ポリアミドイミド、ポリアクリロニトリル、ポリフッ化ビニリデンまたは前記の組合せである、前記〔１〕に記載の多層物品。
〔４〕前記不織布層Ｂがステープル繊維を含んでなる、前記〔１〕に記載の多層物品。
〔５〕前記ポリイミドが全芳香族ポリイミドである、前記〔３〕に記載の多層物品。
〔６〕前記ポリイミドが０．１以上の結晶化度によって特徴づけられる、前記〔５〕に記載の多層物品。
〔７〕前記全芳香族ポリイミドがＰＭＤＡ／ＯＤＡを含んでなる、前記〔５〕に記載の多層物品。
〔８〕前記第１の電極材料、前記セパレータおよび前記第２の電極材料が積層物の形態で一緒に固着される、前記〔１〕に記載の多層物品。
〔９〕前記第１または第２の電極材料の少なくとも１つと接触する少なくとも１つの金属集電体をさらに含んでなる、前記〔１〕に記載の多層物品。
〔１０〕第１の金属集電体を含んでなる第１の層と、
前記第１の金属集電体と接触する、第１の電極材料を含んでなる第２の層と、
前記第１の電極材料と接触する、多孔性セパレータを含んでなる第３の層と、
前記多孔性セパレータと接触する、第２の電極材料を含んでなる第４の層と、
前記第２の電極材料と接触する、第２の金属集電体を含んでなる第５の層と
を含んでなる多層物品であって、
前記多孔性セパレータが、不織布層（層Ｂ）と直面関係に配置される多孔性フィルム（層Ａ）を含んでなり、
前記不織布層Ｂが、３μｍ以下の平均繊維径、６μｍ以下の平均細孔径および６０％未満の多孔性を有し、
前記多孔性フィルムＡが、２μｍ以上の厚さを有し、かつ０．５μｍ以下の平均流れ細孔径および３０〜６０％の多孔性を有する微多孔ポリオレフィン膜であり、
前記Ｂ層が、主要成分として非熱可塑性ポリマーを含んでなり、前記Ａ層と前記Ｂ層とを足した組み合わせた厚さが５０ミクロン以下である、多層物品。
〔１１〕前記第１の金属集電体が銅箔を含んでなり、前記第１の電極材料が炭素を含んでなり、前記全芳香族ポリイミドがＰＭＤＡ／ＯＤＡを含んでなり、前記第２の電極材料がリチウム金属酸化物を含んでなり、かつ前記第２の金属集電体がアルミ箔を含んでなる、前記〔１０〕に記載の多層物品。
〔１２〕前記第１および第２の電極材料が同一材料である、前記〔１〕に記載の多層物品。
〔１３〕前記第１および第２の電極材料が異なる材料である、前記〔１〕に記載の多層物品。
〔１４〕前記第１および第２の電極材料が同一材料である、前記〔１０〕に記載の多層物品。
〔１５〕前記第１および第２の電極材料が異なる材料である、前記〔１０〕に記載の多層物品。
〔１６〕前記第１および第２の金属集電体がアルミ箔を含んでなり、前記第１および第２の電極材料が炭素を含んでなり、かつ前記全芳香族ポリイミドがＰＭＤＡ／ＯＤＡを含んでなる、前記〔１０〕に記載の多層物品。
〔１７〕前記不織布層（Ｂ層）の厚さが２５μｍ以下である、前記〔１〕に記載の多層物品。
〔１８〕前記ポリオレフィンが、１００℃〜２５０℃のピーク結晶溶融温度を有する、前記〔１〕に記載の多層物品。
〔１９〕前記ポリオレフィンが１００℃〜１５０℃のピーク結晶溶融温度を有する、前記〔１〕に記載の多層物品。
〔２０〕前記〔１〕に記載の多層物品を含んでなる電池またはコンデンサ。
〔２１〕前記多孔性膜層（Ａ層）が、不織布層（Ｂ層）と直接または接着層を介してのいずれかで接触する、前記〔１〕に記載の多層物品。
〔２２〕シャットダウン試験において達成される最大抵抗を初期抵抗で除した値が１００以上であり、かつ抵抗開始温度より５０℃高い温度における抵抗を初期抵抗で除した値が１００以上である、前記〔１〕に記載の多層物品。
〔２３〕シャットダウン試験において達成される前記最大抵抗を前記初期抵抗で除した値が１００以上であり、かつ前記抵抗開始温度より５０℃高い温度における前記抵抗を前記初期抵抗で除した値が１１４以上である、前記〔２２〕に記載の多層物品。
【手続補正２】
【補正対象書類名】特許請求の範囲
【補正対象項目名】全文
【補正方法】変更
【補正の内容】
【特許請求の範囲】
【請求項１】
第１の陽極材料と、第２の陰極材料と、前記第１および前記第２の電極材料の間に接触して配置される多孔性セパレータとを含んでなる多層物品であって、前記多孔性セパレータが、不織布層（層Ｂ）と直面関係に配置される多孔性フィルム（層Ａ）を含んでなり、  前記不織布層Ｂが、３μｍ以下の平均繊維径、６μｍ以下の平均細孔径および６０％未満の多孔性を有し、
前記多孔性フィルムＡが、２μｍ以上の厚さを有し、かつ０．５μｍ以下の平均流れ細孔径および３０〜６０％の多孔性を有する微多孔ポリオレフィン膜であり、
前記層Ｂが、層Ｂの５０％以上の重量パーセントで存在する非熱可塑性ポリマーを含んでなり、前記層Ａと前記層Ｂとを足した組み合わせた厚さが５０ミクロン以下である、多層物品。
【請求項２】
第１の金属集電体を含んでなる第１の層と、
前記第１の金属集電体と接触する、第１の電極材料を含んでなる第２の層と、
前記第１の電極材料と接触する、多孔性セパレータを含んでなる第３の層と、
前記多孔性セパレータと接触する、第２の電極材料を含んでなる第４の層と、
前記第２の電極材料と接触する、第２の金属集電体を含んでなる第５の層と
を含んでなる多層物品であって、
前記多孔性セパレータが、不織布層（層Ｂ）と直面関係に配置される多孔性フィルム（層Ａ）を含んでなり、
前記不織布層Ｂが、３μｍ以下の平均繊維径、６μｍ以下の平均細孔径および６０％未満の多孔性を有し、
前記多孔性フィルムＡが、２μｍ以上の厚さを有し、かつ０．５μｍ以下の平均流れ細孔径および３０〜６０％の多孔性を有する微多孔ポリオレフィン膜であり、
前記層Ｂが、主要成分として非熱可塑性ポリマーを含んでなり、前記層Ａと前記層Ｂとを足した組み合わせた厚さが５０ミクロン以下である、多層物品。
【請求項３】
請求項１に記載の多層物品を含んでなる電池またはコンデンサ。